(57)【特許請求の範囲】
【請求項１】
易剥離シール仕切り部で隔てられた複数の収容室を有する容器本体と吊掛部と薬剤排出部とを備えた医療用複室容器であって、
前記易剥離シール仕切り部の剥離強度よりも強く前記容器本体の一方面の前記易剥離シール仕切り部近傍に接着する第１把持片と、
前記易剥離シール仕切り部の剥離強度よりも強く前記容器本体の他方面の前記易剥離シール仕切り部近傍に接着する第２把持片と、
前記吊掛部を吊掛不能とするよう少なくとも該吊掛部の片面を被覆する被覆部と、をさらに備え、
前記第１把持片及び第２把持片の少なくともいずれかは、前記被覆部と連結していることを特徴とする医療用複室容器。
【請求項２】
前記被覆部は、前記吊掛部の両面を被覆するよう容器本体縁で折り返されていることを特徴とする請求項１に記載の医療用複室容器。
【請求項３】
前記第１把持片及び第２把持片は、前記被覆部と連結していることを特徴とする請求項２に記載の医療用複室容器。
【請求項４】
易剥離シール仕切り部で隔てられた複数の収容室と薬剤排出部とを備えた医療用複室容器であって、
前記易剥離シール仕切り部の剥離強度よりも強く前記容器本体の一方面の前記易剥離シール仕切り部近傍に接着する第１把持片と、
前記易剥離シール仕切り部の剥離強度よりも強く前記容器本体の他方面の前記易剥離シール仕切り部近傍に接着する第２把持片と、
前記薬剤排出部を被覆する被覆部と、をさらに備え、
前記第１把持片及び第２把持片の少なくともいずれかは、前記被覆部と連結していることを特徴とする医療用複室容器。
【請求項５】
前記第１把持片及び第２把持片は、前記易剥離シール仕切り部近傍に引掛孔を有することを特徴とする請求項１〜４のいずれか１項に記載の医療用複室容器。
【発明の詳細な説明】
【技術分野】
【０００１】
本発明は、易剥離シール仕切り部に隔てられた複数の収容室を有する医療用複室容器に関するものである。
【背景技術】
【０００２】
静脈注射により患者に投与される薬剤の中には、予め配合すると経時変化を起こすような不安定な薬剤がある。このような経時変化としては、例えば、アミノ酸輸液とブドウ糖輸液を配合して保存しておくと褐変するいわゆるメイラード反応が挙げられる。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤に対しては、次のような医療用複室容器が用いられることが多い。この医療用複室容器は、薬剤を収容する２つの収容室を備えたプラスチックフィルム製の容器本体と、この容器本体から薬剤を排出する薬剤排出部とを備えている。２つの収容室は、容器本体の内壁面同士を熱融着した易剥離シール仕切り部によって仕切られている。使用に際しては、いずれかの収容室の中央付近を押圧し、収容室内の圧力を高めて易剥離シール仕切り部を開封する。これによって両収容室が連通し、２つの薬剤が混合される。その後、薬剤排出部を刺入等によって開封し、容器本体を吊り下げて、混合後の薬剤を患者に投与する（例えば特許文献１）。上記容器では、易剥離シール仕切り部を開通させる前、即ち薬剤を混合させる前に、薬剤排出部を刺入等によって開封して、混合前の薬剤を患者に投与しないように注意喚起表示が容器本体の表面に印刷等されている。
【特許文献１】特開平８−２２９０９９号公報
【発明の開示】
【発明が解決しようとする課題】
【０００４】
本発明は、混合前の薬剤を患者に投与するのをより効果的に防ぐことができる医療用複室容器を提供することを課題とする。
【課題を解決するための手段】
【０００５】
上記課題を解決するため、第１発明に係る医療用複室容器は、易剥離シール仕切り部で隔てられた複数の収容室を有する容器本体と吊掛部と薬剤排出部とを備えた医療用複室容器であって、前記易剥離シール仕切り部の剥離強度よりも強く前記容器本体の一方面の前記易剥離シール仕切り部近傍に接着する第１把持片と、前記易剥離シール仕切り部の剥離強度よりも強く前記容器本体の他方面の前記易剥離シール仕切り部近傍に接着する第２把持片と、前記吊掛部を吊掛不能とするよう少なくとも該吊掛部の片面を被覆する被覆部と、をさらに備え、前記第１把持片及び第２把持片の少なくともいずれかは、前記被覆部と連結していることを特徴とする。
【０００６】
このように、第１把持片と第２把持片とが、易剥離シール仕切り部近傍に、易剥離シール仕切り部の剥離強度よりも強い接着力で接着しているため、第１把持片と第２把持片とを互いに離間する方向に手で引っ張る等すると、まず、易剥離シール仕切り部が開通する。そして、第１把持片及び第２把持片の少なくともいずれかが、吊掛部を吊掛不能に被覆する被覆部に連結しているため、第１把持片と第２把持片とをさらに引っ張ると、被覆部が吊掛部を被覆する状態が解除され、薬剤を混合させた後の医療用複室容器が使用可能となる。
【０００７】
前記被覆部は、前記吊掛部の両面を被覆するよう容器本体縁で折り返されているよう構成することもできる。
このように、吊掛部の両面を把持片が覆う構成とすることで、薬剤混合前の医療用複室容器の吊掛部に吊具のフック部分等を挿入することを確実に防ぐことができ、混合前の薬剤を患者に投与することを確実に防止することができる。
【０００８】
なお、このとき、前記第１把持片及び第２把持片は、前記被覆部と連結していることが好ましい。
【０００９】
このように、第１把持片と被覆部と第２把持片とが一体となっていることで、材料コストの低減を図ることができる。
【００１０】
上記課題を解決するため、第２発明に係る医療用複室容器は、易剥離シール仕切り部で隔てられた複数の収容室と薬剤排出部とを備えた医療用複室容器であって、前記易剥離シール仕切り部の剥離強度よりも強く前記容器本体の一方面の前記易剥離シール仕切り部近傍に接着する第１把持片と、前記易剥離シール仕切り部の剥離強度よりも強く前記容器本体の他方面の前記易剥離シール仕切り部近傍に接着する第２把持片と、前記薬剤排出部を被覆する被覆部と、をさらに備え、前記第１把持片及び第２把持片の少なくともいずれかは、前記被覆部と連結していることを特徴とする。
【００１１】
このように、第１把持片と第２把持片とが、易剥離シール仕切り部近傍に、易剥離シール仕切り部の剥離強度よりも強い接着力で接着しているため、第１把持片と第２把持片とを互いに離間する方向に手で引っ張る等すると、まず、易剥離シール仕切り部が開通する。そして、第１把持片と第２把持片の少なくともいずれかが、薬剤排出部を被覆している被覆部と連結しているため、第１把持片と第２把持片とをさらに引っ張ると、被覆部が薬剤排出部を被覆する状態が解除され、薬剤を混合させた後の医療用複室容器が使用可能となる。
【００１２】
また、上記第１及び第２発明に係る医療用複室容器の第１及び第２把持片は、前記易剥離シール仕切り部近傍に引掛孔を有していることが好ましい。このように引掛孔を有していることで、一対の把持片を互いに離間する方向に引っ張りやすくなる。
【発明の効果】
【００１３】
本発明によれば、易剥離シール仕切り部の開通前、すなわち混合前の薬剤を患者に投与することをより効果的に防ぐことができる。
【発明を実施するための最良の形態】
【００１４】
以下、本発明に係る医療用複室容器の実施形態について図面を参照しつつ説明する。なお、全図及び全実施形態を通し、同様の構成部分については同符号を付した。
【００１５】
まず、第１実施形態について、図１を参照して説明する。図１は、医療用複室容器の正面図（ａ）及び背面図（ｂ）である。
【００１６】
図１に示すように、医療用複室容器１は、可撓性のある柔軟な透明プラスチック製容器であり、易剥離シール仕切り部２で隔てられた複数の収容室３，４を有する容器本体５と、吊掛部６と、針刺通用ゴム栓７を備える薬剤排出部８とを有する。
【００１７】
本実施例では、容器本体５は、２枚のフィルムの周縁部を熱融着して矩形状に形成している。前記フィルムの材質としては、ポリエチレン、ポリプロピレン、ポリスチレン等の熱可塑性樹脂等、種々の樹脂材料を採用することができる。但し、後述するように易剥離シール仕切り部２は容器本体５の内壁面同士を融着することから、前記フィルムは互いに相溶性が乏しく融点の異なる樹脂を混合した混合樹脂で形成することが好ましい。このようにすると、融着強度の制御が容易になるという利点がある。そのような樹脂の組み合わせとしては、例えばスチレン系樹脂、メタクリル酸エステル系樹脂、環状オレフィン樹脂、ポリ４−メチルペンテン、ポリエステル、ポリアミド、又は、ポリプロピレンから選ばれる樹脂と、ポリエチレンとの混合樹脂を例示することができる。そのうち、ポリエチレンとポリプロピレンとの混合樹脂、及びポリエチレンと環状オレフィン樹脂との混合樹脂は、医療用として安全性が確認されていること、及び製造上の取り扱いが確立されていることから特に好ましい。また、前記フィルムは、上述した樹脂のみからなる単層のフィルムの他、多層構造のフィルムを使用することができる。この場合、容器本体５の最内層を構成する樹脂層が上記のような樹脂から形成されていればよい。
【００１８】
易剥離シール仕切り部２は、通常時は収容室３、４内の薬剤が互いに往来しないようシールされており、後述するように引っ張ること等によって開通可能となるよう構成されていればよく、例えば容器本体５の２枚のフィルムの内壁同士を熱融着したものとすることができ、容器本体５の長手方向と略垂直な方向に延びている。なお、収容室３、４内には、予め配合しておくことが好ましくない薬剤を別々に収容しておくことができる。
【００１９】
また、医療用複室容器１は、第１把持片１０ａ、第２把持片１０ｂ及び被覆部９をさらに備えている。
【００２０】
第１把持片１０ａは、容器本体５の一方面Ａの易剥離シール仕切り部２近傍に接着している（図１（ａ））。第２把持片１０ｂは、容器本体５の他方面Ｂの易剥離シール仕切り部２近傍に接着している（図１（ｂ））。ここで、第１把持片１０ａ及び第２把持片１０ｂは、易剥離シール仕切り部２の剥離強度よりも強い力で容器本体５に接着している。なお、接着方法は熱融着や接着剤の使用等、種々の方法をとることができる。
【００２１】
また、第１把持片１０ａ、第２把持片１０ｂともに、易剥離シール仕切り部２近傍に引掛孔１１を有している。
【００２２】
被覆部９は、容器本体５の縁で折り返されて吊掛部６の両面を被覆し、吊掛部６を吊掛不能としている。なお、被覆部９は、第１把持片１０ａと連結しており、吊掛部６に対する被覆状態を保持するために、容器本体５の他方面Ｂに接着している。
【００２３】
次に、上記構成による医療用複室容器１の使用方法について説明する。
【００２４】
まず、第１把持片及び第２把持片の引掛孔１１にそれぞれ指を引っ掛けて引っ張る等して、易剥離シール仕切り部２近傍に接着された第１把持片１０ａと第２把持片１０ｂとを互いに離間する方向に移動させる。ここで、第１把持片１０ａ及び第２把持片１０ｂは、易剥離シール仕切り部２の剥離強度よりも強い力で、容器本体５に接着しているため、第１把持片１０ａ及び第２把持片１０ｂを互いに離間する方向に移動させれば、容器本体５の２枚のフィルムもそれぞれ第１把持片１０ａと第２把持片１０ｂとに従属して互いに離間する方向に移動し、該２枚のフィルムの内壁面同士を熱融着させた易剥離シール仕切り部２が開通する。この易剥離シール仕切り部２の開通により、収容室３，４内の薬剤が互いに混合する。
【００２５】
そして、易剥離シール仕切り部２の開通後、第１把持片１０ａ及び第２把持片１０ｂを互いに離間する方向にさらに移動させる。第１把持片１０ａが被覆部９と連結しているため、第１把持片１０ａの容器本体５に対する接着力よりも、被覆部９の容器本体５に対する接着力の方が弱い場合は、被覆部９が容器本体５から外れ、被覆部９に覆われていた吊掛部６が露出される（図２参照）。ここで、第１把持片１０ａの容器本体５に対する接着力よりも、被覆部９の容器本体５に対する接着力の方を強くした場合は、第１把持片１０ａが容器本体５から外れて、吊掛部６が露出される（図３参照）。また、第１把持片１０ａと被覆部９との連結部が破断されることで吊掛部６が露出するように構成することもできる（図４参照）。なお、この場合は、引掛孔１１の大きさで把持片の破断強度を調整することもできる。
【００２６】
以上のように、吊掛部６を露出させることで、医療用複室容器１が吊掛可能となるため、混合された薬剤を患者に投与することが可能となる。
【００２７】
以上、本発明の第１実施形態について説明したが、本発明はこれらに限定されるものではなく、本発明の趣旨を逸脱しない限りにおいて種々の変更が可能である。
【００２８】
例えば、図５に示すように、被覆部９が容器本体５の縁で折り返されておらず、片面のみを覆うような構成とすることもできる。または、図６に示すように、被覆部９が、容器本体５の一方面Ａ及び他方面Ｂにそれぞれ形成され、第１把持片１０ａ又は第２把持片１０ｂとそれぞれ連結するように構成することもできる。
【００２９】
さらには、図７に示すように、容器本体５の縁で折り返された被覆部９に、第１把持片１０ａ及び第２把持片１０ｂが連結し、第１把持片１０ａ、被覆部９及び第２把持片１０ｂを一体とすることができる。
【００３０】
次に、本発明に係る医療用複室容器の第２実施形態について図面を参照しつつ説明する。図８は、本発明に係る医療用複室容器の正面図（ａ）及び背面図（ｂ）である。
【００３１】
図８に示すように、医療用複室容器１は、上述した第１実施形態と異なり、被覆部９が吊掛部６を被覆するのではなく、薬剤排出部８のゴム栓７の針刺面を被覆するように構成されている。被覆部９は、第１把持片１０ａと連結されており、薬剤排出部８のゴム栓７の針刺面の被覆状態を保持するように容器本体５に接着されている。その他の構成は第１実施形態と同様である。
【００３２】
次に、上記構成による医療用複室容器１の使用方法について説明する。なお、薬剤排出部８はゴム栓７を有するものに限定されるものではなく、例えば薬剤排出部８がコネクタ接続タイプのものでも、薬剤排出部８の接続部を被覆部９で被覆することで薬剤排出部８を使用不能に被覆することができるなど、薬剤排出部８の種類に限定されない。
【００３３】
まず、上記第１実施形態と同様に、第１把持片１０ａ及び第２把持片１０ｂの引掛孔１１にそれぞれ指を引っ掛けて引っ張る等して、互いに離間する方向に移動させると、易剥離シール仕切り部２が開通し、収容室３、４内の薬剤が互いに混合される。
【００３４】
そして、第１把持片１０ａと第２把持片１０ｂとをさらに引っ張る等すると、被覆部９が容器本体５から外れ、被覆部９に被覆されていた薬剤排出部８のゴム栓７の針刺面が露出する。このようにゴム栓７の針刺面が露出されることで、ゴム栓７に、導管（図示省略）が接続された刺栓針（図示省略）を刺入すると、混合された薬液が導管を介して患者に投与される。
【００３５】
以上、本発明の第２実施形態について説明したが、本発明はこれらに限定されるものではなく、本発明の趣旨を逸脱しない限りにおいて種々の変更が可能である。
【００３６】
例えば、上記第２実施形態では、第１把持片１０ａのみが被覆部９と連結するよう構成しているが、第２把持片１０ｂも被覆部９と連結し、第１把持片１０ａ、被覆部９及び第２把持片１０ｂを一体とすることができる。また、被覆部９を容器本体５に接着させずに、薬剤排出部８と接着させることもできる。
【図面の簡単な説明】
【００３７】
【図１】本発明に係る医療用複室容器の第１実施形態を示す正面図（ａ）及び背面図（ｂ）である。
【図２】本発明に係る医療用複室容器の第１実施形態の吊掛部を露出させた例を示す正面図である。
【図３】本発明に係る医療用複室容器の第１実施形態の吊掛部を露出させた他の例を示す正面図である。
【図４】本発明に係る医療用複室容器の第１実施形態の吊掛部を露出させた他の例を示す正面図である。
【図５】本発明に係る医療用複室容器の第１実施形態の変形例を示す正面図（ａ）及び背面図（ｂ）である。
【図６】本発明に係る医療用複室容器の第１実施形態の変形例を示す正面図（ａ）及び背面図（ｂ）である。
【図７】本発明に係る医療用複室容器の第１実施形態の変形例を示す正面図（ａ）及び背面図（ｂ）である。
【図８】本発明に係る医療用複室容器の第２実施形態を示す正面図（ａ）及び背面図（ｂ）である。
【符号の説明】
【００３８】
１  医療用複室容器
２  易剥離シール仕切り部
３，４  収容室
５  容器本体
６  吊掛部
７  針刺通用ゴム栓
８  薬剤排出部
９  被覆部
１０ａ  第１把持片
１０ｂ  第２把持片
１１  引掛孔
【図１】
0004619274.tif 000002
【図２】
0004619274.tif 000003
【図３】
0004619274.tif 000004
【図４】
0004619274.tif 000005
【図５】
0004619274.tif 000006
【図６】
0004619274.tif 000007
【図７】
0004619274.tif 000008
【図８】
0004619274.tif 000009